(57)【要約】      （修正有）【課題】ユーザーがマニュアルを参照することなく、ユーザー側必要行為を正しいタイミングで正しく認識でき、また、ユーザーが簡単、且つ、的確にユーザー側必要行為を行える医学データ可視化診断装置を提供する。【解決手段】ユーザー側必要行為を所定の順序、乃至、タイミングで促す指示を上記ディスプレイ１０８の行為表示エリアＡｒｅａ２にて表示し、更に、指示の補足説明を補足説明エリアＡｒｅａ３にて為す。【効果】ユーザーは、制御部（パソコン）のディスプレイの行為表示エリアＡｒｅａ２、及び、補足説明エリアＡｒｅａ３の表示を見ることによりマニュアルを見ることなくユーザー側必要行為を認識できる。【選択図】図２
2014076076.tif 000002
【特許請求の範囲】
【請求項１】
被診断体に所定の方法で装着されるデータ検出手段からの医学データ群を所定の順序で取り込んで所定の形式で可視化してデイスプレイに表示する医学データ可視化診断装置において、
ユーザー側が医学データ可視化診断装置自身に対して行うべき行為及び被診断体に対して行うべき医学的行為を含むユーザー側必要行為を、所定の順序乃至タイミングで促す指示を上記ディスプレイにより又は音声により為し、
上記データ検出手段からのデータ群の取り込み及びその医学データ群の表示のための動作を含む医学データ可視化診断装置自身が行うべき装置側動作と上記ユーザー側必要行為とが所定の順序、タイミングで行われるようにした
ことを特徴とする医学データ可視化診断装置。
【請求項２】
前記医学的データ群が食道内の複数箇所における圧力データからなり、
前記医学データ検出手段が食道内の複数箇所における内圧を検出する複数の圧センサーを備えたカテーテルからなり、
食道内圧測定を行う
ことを特徴とする請求項１記載の医学データ可視化診断装置。
【請求項３】
前記ディスプレイによる表示画面の一部に前記ユーザー側必要行為を促す表示をする行為表示エリアを有し、
他の部分の一部に、その表示エリアにて促された上記ユーザー側必要行為の説明、補足等の表示をする補足説明エリアを有する
ことを特徴とする請求項１又は２記載の医学データ可視化診断装置。
【発明の詳細な説明】
【技術分野】
【０００１】
本発明は、一連の医学的行為が施される被診断体（患者）に所定の方法で装着されたデータ検出手段からのデータを所定の順序で取り込んで所定の多数の医学データからなるデータ群を可視化してディスプレイにて表示する医学データ可視化診断装置に関するものである。
【背景技術】
【０００２】
医学的診断法として、一連の医学的行為が施される被診断者（患者）に所定の方法で装着されたデータ検出手段からのデータを多数所定の順序で取り込んで得た医学データ群を可視化しディスプレイにて表示し、的確且つ迅速な診断ができる、コンピュータを駆使した技術がある（ＵＳＰ８，０７９，９６５：特許文献１＆ＵＳＰ７，４７６，２０４：特許文献２）。
各データの時間の経過に伴う変化については、時間軸を横軸にとり、データの数値を縦軸にとることにより波形で表現する技術が多く、上記ＵＳＰ８，０７９，９６５（：特許文献１）に紹介された技術においてはその技術が採用されているが、近年、データの数値をカラーにより、つまり色の違いにより表現する技術が開発され、普及しつつある。カラーによる場合でも横軸に時間軸をとる。ちなみに、上記ＵＳＰ７，４７６，２０４：特許文献２には、データの数値を波形により表示する技術とカラーにより表示する技術の両方が紹介されている。
【０００３】
その医学的診断法ができるコンピュータ技術を駆使した医学データ可視化診断装置の一例を図７に示す。本医学データ可視化診断装置は、所定間隔、例えば１ｃｍ間隔で圧センサー１０２が複数個、例えば３６個１０２０１〜１０２３６配置されたカテーテル１００を、経鼻的に食道に通し、咽頭から胃に至る部分の複数箇所、例えば３６箇所における圧データの変化を所定時間分、例えば、１０分或いは２０分、ディスプレイ１０８の画面の一つの矩形のデータ群表示エリアに可視化して表示するようにしたものである。
１０６は制御部１０４と上記カテーテル１００との間に介在するインターフェイスであり、カテーテル１００の各圧センサー１０２０１〜１０２３６ の出力はこのインターフェイス１０６を介して制御部１０４に入力される。
【０００４】
制御部１０４は、本医学データ可視化診断装置の中核を成すもので、ＣＰＵ（中央処理装置）、ＲＯＭ（リードオンリーメモリ、ＲＡＭ（ランダムアクセス）等からなり、キーボード等からなる入力装置からの入力信号及びインターフェイス１０６を介して入力された各圧センサー１０２０１〜１０２３６ の出力データを処理して可視化されたデータを作成し、蓄積し、且つ、ディスプレイ１０８に表示をさせる役割を果たす。
また、音声発生装置１１２に音声を発生させたりもする。
１１４はカードリーダーで、カード１１５に記録された被診断者の情報（氏名、ＩＤ、パスワード、性別、年齢、その他医学的情報）を読み取るためのもので、被診断者の情報を制御部１０４が簡単に取り込むことができる。
【０００５】
診断のための医学データの取り込みは、単に被診断者にカテーテル１００をセットし、その後、制御部１０４にデータ入力を開始させる操作（例えばスタートボタンのクリック）をすれば、自動的に進行するというわけではない。
診断には、制御部（コンピュータ本体）等装置の動作のみならず、ユーザー側の制御部の操作行為及び被診断者に対する医学的行為等ユーザー側必要行為が必要である。従って、医学データ可視化診断装置のユーザーは、一般的に、医師免許を有するというような医師法による一定の資格を持つ者でなければならない。
診断の一例を挙げると、次の通りである。
【０００６】
先ず、制御部（コンピュータ本体）１０４にインターフェイス１０６を介してカテーテル１００の接続をしておくことが必要である。次に、制御部１０４を立ち上げる。すると、予め設定された初期状態になる。この初期状態では、ディスプレイ１０８に所定の初期画面が表示される。画面の表示内容については図示しない。
次に、ユーザー（医師免許等医師法上の特定の資格のある人）は、カテーテル１００とインターフェイス１０６との接続及びインターフェイス１０６と制御部１０４との接続を確認し、その終了後、制御部１０４を被診断者データの取り込み可能な状態にする。次に、被診断者データ［被診断者の氏名、ＩＤ（アイディンティティ）、性別、血液型、その他医学的データ］を入力する。尚、カードリーダー１１４に被診断者データの登録されたカード１１５を通すことにより簡単に被診断者データに入力することができる。
【０００７】
入力が終わると、制御部１０４は、カテーテル１００の各圧センサー１０２０１〜１０２３６ の間の感度のバランスをとる校正動作に対する待機状態になる。
この待機状態になると、ユーザーは、カテーテル１００を手で縦に持ち、各圧センサー１０２０１〜１０２３６に物が触れないようにし、その上で校正動作をスタートさせる操作をする。
すると校正動作が開始される。その後、ユーザーは、そのカテーテル１００を図７に示すように、被診断者の食道に鼻腔を通じて挿入する。きちんと挿入した後、位置を固定する。このカテーテル１００の挿入動作を終えるまでに、制御部１０４は校正動作を終える。
校正動作終了後、カテーテル位置をコンピュータ１０４のディスプレイ１０８の画面に入力する。
【０００８】
制御部１０４は校正動作とカテーテル位置入力が終了すると、センサー１０２０１〜１０２３６の温度補正動作についての待機状態になる。そこでユーザーは、センサーの温度補正をさせる操作をする。すると、制御部１０４は温度補正動作を行う。そして、その温度補正動作を終えると、静止圧を一定時間、例えば３０秒間とりこむ静止圧取り込み動作開始を待機する状態になる。
その後、ユーザーが制御部１０４に対して静止圧取り込み動作をスタートさせる操作をする。すると、制御部１０４は、例えば３０秒間カテーテル１００の各圧センサー１０２０１〜１０２３６ からの出力取り込みを行う。
静止圧の取り込み動作の終了後、上記段落番号０００７の段落で述べたところの入力したカテーテル位置の変更はできなくなる。
【０００９】
ユーザーは、被診断者に一定量、例えば５ｃｃの例えば水を与え、口に含ませる。口に含ませた後、そのことを制御部１０４に認識させる。その後、その例えば５ｃｃの例えば水を与え、口に含ませ、そのことを制御部１０４に認識させる動作を一定回数、或いはユーザーの判断で選んだ回数、例えば１０回繰り返す。水を飲んだ後の食道の各部の圧力の変化の仕方を診断するためである。
そして、その水を含ませ、そのことを制御部１０４に認識させる動作の繰り返し回数が一定回数或いはユーザーが自身の判断で選んだ回数に達したとき、カテーテル１００の各圧センサー１０２０１〜１０２３６ からの出力を取り込み動作を終了させる。その後、ユーザーは取り込んだ医学用データにファイル名を付け、保存する動作をさせる入力操作を制御部１０４に対して行う。
これにより一人の被診断者についての食道内圧測定データを制御部１０４内に保存された状態になる。
【００１０】
尚、解析を行いたい場合には、ユーザーは、ファイル名をつけて保存した食道内圧測定データを開き、その上で、解析処理をさせる操作をする。すると、制御部１０４内でそのデータの解析が行われ、ディスプレイ１０８上に表示される。
このような医学データ可視化診断装置によれば、食道内の複数箇所における圧力の変化を所定時間分、例えば、１０分或いは２０分、ディスプレイのデータ群表示エリア内にて一目にて見えるように表示することができる。
【００１１】
従って、食道全体の運動を視覚的に比較的簡単且つ的確に把握することができ、異常を見逃すおそれが少ない。例えば、圧の変化を圧の大きさにより縦軸に平行に変化する波形により、或いは圧の大きさに対応したカラー（色）により食道全体の運動を把握することができる。
依って、例えば内視鏡検査では容易に発見できない食道異常運動を容易に発見できるという優れた利点がある。
【００１２】
このように、従来の食道内圧コンピュータによる情報処理技術により、食道内圧測定が極めて容易となったが、しかし、本来、医学データ可視化診断装置によれば、食道内圧測定を行うためには、コンピュータによる演算、情報処理と、ユーザーが行うべき行為との両方が必要である。
ユーザーが行うべき行為には、コンピュータを動作させるために当然に必要となる各種入力操作と、カテーテルの装着、水を被診断者に与えるという医学的行為と、カテーテルの各センサーの出力の校正、補正というデータの精確な取り込みのために必要となるデータ適正化行為とがある。
このように、ユーザーが行うべき行為を、本明細書においては「ユーザー側必要行為」という。
そして、ユーザー側必要行為は必ずしも簡単ではなく、従って、従来は、マニュアル１１６に、ユーザー側必要行為が正しいタイミングで正しく行われるようにするために必要な事項を記載しておき、ユーザーがそのマニュアル１１６を読みながらそれに基づいて食道内圧測定を行うようにしていた。
【先行技術文献】
【特許文献】
【００１３】
【特許文献１】ＵＳＰ８，０７９，９６５
【特許文献２】ＵＳＰ７，４７６，２０４
【発明の概要】
【発明が解決しようとする課題】
【００１４】
ところで、従来の医学データ可視化診断装置においては、基本的に、ユーザー側必要行為が少なくなく、その上、ユーザーはマニュアルを参照しながら制御部（コンピュータ本体）に対して入力操作、被診断者に対する医学的行為等、ユーザー側必要行為を行わなければならず、ユーザーの負担が少なくなかった。
また、マニュアルを参照しながらのユーザー側必要行為は、ミスが生じやすく、もし、ミスがあると、正確な診断は不可能となる。
【００１５】
本発明は、そのような問題を解決すべく為されたもので、ユーザーがマニュアルを参照することなくユーザー側必要行為を正しいタイミングで正しく認識できるようにし、以て、ユーザーが簡単且つ的確にユーザー側必要行為を行うことができるようにすることを目的とする。
【課題を解決するための手段】
【００１６】
請求項１の医学データ可視化診断装置は、被診断体に所定の方法で装着されるデータ検出手段からの医学データ群を所定の順序で取り込んで所定の形式で可視化してデイスプレイに表示する医学データ可視化診断装置において、ユーザー側が医学データ可視化診断装置自身に対して行うべき行為及び被診断体に対して行うべき医学的行為を含むユーザー側必要行為を、所定の順序乃至タイミングで促す指示を上記ディスプレイにより又は音声により為し、上記データ検出手段からのデータ群の取り込み及びその医学データ群の表示のための動作を含む医学データ可視化診断装置自身が行うべき装置側動作と上記ユーザー側必要行為とが所定の順序、タイミングで行われるようにしたことを特徴とする。
【００１７】
請求項２の医学データ可視化診断装置は、請求項１の医学データ可視化診断装置において、前記医学的データ群が食道内の複数箇所における圧データからなり、前記医学データ検出手段が食道内の複数箇所における内圧を検出する複数の圧センサーを備えたカテーテルからなり、食道内圧測定を行うことを特徴とする。
【００１８】
請求項３の医学データ可視化診断装置は、請求項１又は２の医学データ可視化診断装置において、前記ディスプレイによる表示画面の一部に前記ユーザー側必要行為を促す表示をする行為表示エリアを有し、他の部分の一部に、その表示エリアにて促された上記ユーザー側必要行為の説明、補足等の表示をする補足説明エリアを有することを特徴とする。
【発明の効果】
【００１９】
請求項１の医学データ可視化診断装置によれば、ディスプレイによる表示によって、或いは音声によって、今為すべきユーザー側必要行為が示されるので、ユーザーがマニュアルを読まなくても、今為すべきユーザー側必要行為を認識することができ、診断に必要な医学的データの取得、表示、診断に至るプロセスを簡単に進行させることができる。
【００２０】
請求項２の医学データ可視化診断装置によれば、カテーテルによる食道内圧の可視化された医学データを目視により簡単且つ的確に診断することができる。
請求項３の医学データ可視化診断装置によれば、行為表示エリアの表示の視認により、今為すべきユーザー側必要行為を認識することができるのみならず、補足説明エリアの視認により、ユーザー側必要行為の説明、補足までも正確に認識することができる。従って、より適切にユーザー側必要行為を順次行うことが可能になる。
【図面の簡単な説明】
【００２１】
【図１】本発明の一つの実施例の医学データ可視化診断装置の概略構成を示すブロック図である。
【図２】上記医学データ可視化診断装置のディスプレイの画面の主要エリアを示す図である。
【図３】上記医学データ可視化診断装置の動作を示すフローチャートのうちのＳｔ１〜Ｓｔ１８を示す図である。
【図４】上記医学データ可視化診断装置の動作を示すフローチャートのうちのＳｔ１９〜Ｓｔ３６を示す図である。
【図５】上記医学データ可視化診断装置の動作を示すフローチャートのうちのＳｔ３７〜Ｓｔ３９を示す図である。
【図６】（１）〜（９）は、ユーザ側必要行為表示エリアにおける表示の変化を示す図である。
【図７】背景技術を示す医学的診断装置の構成図である。
【発明を実施するための形態】
【００２２】
本発明医学データ可視化診断装置は、基本的には、今為すべきユーザー側必要行為を、所定の順序乃至タイミングで促す指示を上記ディスプレイにより又は音声により為し、上記データ検出手段からのデータ群の取り込み及びその医学データ群の表示のための動作を含む医学データ可視化診断装置自身が行うべき装置側動作と上記ユーザー側必要行為とが所定の順序、タイミングで行われるようにしたものであるが、データの可視化をデータの数値を縦軸に取った波形により行うようにしても良いし、カラー(色）により行うようにしても良い。
【００２３】
また、本医学データ可視化診断装置は、食道内圧運動データの可視化に有効であるが、それ以外の医学データの可視化診断にも適用することができ、適用範囲は食道内圧による診断に限定されない。
そして、今やるべきユーザー側必要行為を認識させる手段としては、ディスプレイによる表示画面の特定エリア内における表示が最適であるが、それと共に、或いはそれに代えて音声による手段も採用が可能である。
【００２４】
また、今やるべきユーザー側必要行為を認識させる手段の他に、その行為の説明や補足等をも表示する補足表示エリアを設け、そのエリア内の表示によりその説明や補足等をもマニュアルを見ることなく認識できるようにしても良い。
また、コンピュータ本体を成す制御部は、汎用性のあるパーソナルコンピュータを用い、医学データ可視化診断装置用アプリケーションソフトをインストールして使用するようにしても良いし、本医学データ可視化診断装置に特化した専用コンピュータを使用するようにしても良い。
このように、本発明は種々の形態で実施することができる。
【実施例】
【００２５】
以下、本発明医学データ可視化診断装置を一つの実施例により説明する。
図１は医学データ可視化診断装置の概略構成を示すブロック図である。図１は医学データ可視化診断装置の概略構成を示す。
１００はカテーテルで、例えば１ｃｍ間隔で圧センサー１０２を複数個、例えば３６個１０２０１〜１０２３６配置してある。このカテーテル１００は、経鼻的に食道に通され、咽頭から胃に至る部分の複数箇所、例えば３６箇所における圧力を検出する。
この圧力のデータ（圧データ）は所定時間分、例えば、１０分或いは２０分、ディスプレイ１０８の画面の一つの矩形のデータ群表示エリアに可視化して表示される。
１０６は制御部１０４と上記カテーテル１００との間に介在するインターフェイスであり、カテーテル１００の各圧センサー１０２０１〜１０２３６ の出力はこのインターフェイス１０６を介して制御部（コンピュータ本体）１０４に入力される。
【００２６】
制御部１０４は、本医学データ可視化診断装置の中核を成すもので、ＣＰＵ（中央処理装置）、ＲＯＭ（リードオンリーメモリ、ＲＡＭ（ランダムアクセス）等からなり、キーボード等からなる入力装置からの入力信号及びインターフェイス１０６を介して入力された各圧センサー１０２０１〜１０２３６ の出力データを処理して可視化されたデータを作成し、蓄積し、且つ、ディスプレイ１０８に表示をさせる役割を果たす。
また、音声発生装置１１２に音声を発生させたりもする。
１１４はカードリーダーで、カード１１５に記録された被診断者の情報（氏名、ＩＤ、パスワード、性別、年齢、その他医学的情報）を読み取るためのもので、被診断者の情報を制御部１０４が簡単に取り込むことができる。１０８はディスプレイである。
【００２７】
図２は医学データ可視化診断装置のディスプレイ１０８の使用時における表示画面１０９を示すもので、Ａｒｅａ１はそのうちのデータ表示エリアを示し、食道各部の内圧の変化を一定時間（例えば１０分）内において色で表示する主エリアＡｒｅａ１１と、その主エリアＡｒｅａ１１の左側に位置する、色・圧力関係を示す色・圧力関係表示エリア１２と、主エリアＡｒｅａ１１の右側に位置する、その縦軸と食道の各部との関係を示す食道位置表示エリアＡｒｅａ１３とからなる。
食道位置表示エリアＡｒｅａ１３は、食道運動と連動して動く。すなわち、食道圧の加わる時は収縮し、弛緩する時は広がる。また、Ａｒｅａ１２とエリアＡｒｅａ１３は設定を変更しない限り表示内容は一定を保ち（圧力レベルに対する色は変更可能）、一つの検査内で変化するようなことはない。しかし、主エリアＡｒｅａ１１は取り込んだ圧データを順次表示するものであるので、検査の段階や患者の症状に応じて変化するものであり、図２に示すものは飽くまで或る患者の或る時点でのデータであるに過ぎない。
また、表示画面はカラーであるが、図面は白黒であるので、表示内容を的確に表現できない点のあることをご了承頂きたい。
【００２８】
Ａｒｅａ２は、測定のために、装置ユーザー（医師免許を持った医者等）が為すべき行為、即ちユーザー側必要行為を示すユーザ側必要行為表示エリアであり、文字、標識（マーク）により指示する。
Ａｒｅａ３は、ユーザー側必要行為表示エリアＡｒｅａ１２に表示されたユーザー側必要行為を補足説明する補足説明エリアであり、そのＡｒｅａ３によってユーザー側必要行為をより具体的に認識することができる。
Ａｒｅａ４１、４２は、クリックされて所定の動作をさせる各種ボタンや数値を入力される入力スペース等が配置されるボタン等配置エリアエリアであり、Ａｒｅａ４１は画面の１０９の左上部に位置し、Ａｒｅａ４２は食道位置表示エリアＡｒｅａ１３の右側に位置する。
【００２９】
本医学データ可視化診断装置における主要ボタン等について簡単に述べる。ＢＵＴ１は検査開始ボタンで、検査を開始するときクリックするものである。ＢＵＴ２は収録データの作成を開始するときクリックするものである。ＢＵＴ３は零校正をするときクリックするものである。ＢＵＴ４はコントロールボタンで、食道各部の圧データの取込を開始するときクリックするものである。ＢＵＴ５は温度補正をするときクリックする温度補正ボタンである。ＢＵＴ６はＷＳ（Ｗｅｔ検査）ボタンで、Ｗｅｔ検査で患者に水を１回飲ませるたびにクリックするものである。ＢＵＴ７は収録停止ボタンで、Ｗｅｔ検査を終了させるときクリックするものである。ＢＵＴ８はデータを保存するときクリックするボタンである。Ｉｎ１はカテーテルの挿入長さ、即ち、カテ長を入力するカテ長入力部である。
【００３０】
以下に、本医学データ可視化診断装置の主要動作を、図３〜図５に示すフローチャート、図６（１）〜（９）に示す行為表示エリアにおいて為される表示図、この実施例の項のほぼ最後の部分(段落番号００５０の段落）に載せた（１）〜（９）に示す補足説明エリアの説明文を参照してステップＳｔ順に説明する。
（Ｓｔ１）「接続＆ＢＵＴ１押促す表示｝
本動作フローをスタートさせると、コンピュータ本体は予め設定された初期状態になる。
この状態では、パソコン本体１０４とポケットモニター（インターフェイス）１０６とを、そして、ポケットモニター１０６とカテーテル１００とを接続し、その後、ポケットモニター１０６のＭＥＡＳＵＲＩＮＧという表示を確認した後、検査開始ボタンＢＵＴ１をクリックすることを促す（示唆する）。
斯かる示唆は、行為表示エリアＡｒｅａ２において図６（１）に示すような表示をすることによって為される。具体的には、そのエリアＡｒｅａ２内の検査開始ボタンＢＵＴ１のマークＢＵＴ１Ｍの背景色が他の表示の背景色（例えば白）と異なる色（例えば黄色。但し、図６では梨地で示す。）にすることにより、その示唆をユーザーに対してするようになっている。
【００３１】
このときの補足説明エリアＡｒｅａ３の説明文は、実施例の項の段落番号００５０の段落の（１）に示すように、「ＰＣとポケットモニターとセンサーを接続する。Ｐ．Ｍ．（ポケットモニター）１０６の「 ＭＥＡＳＵＲＩＮＧ」の表示を確認して検査開始ボタンＢＵＴ１を押して下さい。
」という趣旨のものである。
従って、ユーザーは、マニュアル等を視なくても、行為表示エリアＡｒｅａ２を視認することにより為すべきことを認識することができ、補足説明エリアＡｒｅａ３の説明文により為すべきことをより具体的に認識することができる。
（Ｓｔ２）「接続？」
次に、ＰＣとポケットモニターとセンサーとが接続されているか否かを確認する。確認結果がＮｏであると、Ｓｔ１に戻る。
【００３２】
（Ｓｔ３）「ＢＵＴ１押？」
次に、検査開始ボタンＢＵＴ１が押されたか否かを確認する。確認結果がＮｏの場合、Ｓｔ１に戻る。
（Ｓｔ４）「患者データ入力促す表示」
Ｓｔ３の確認結果がＹｅｓの場合、患者の氏名やＩＤやパスワードの他、所定のデータの入力を促す表示をする。具体的には、行為表示エリアＡｒｅａ２の表示を、図６（２）に示すように、検査開始ボタンＢＵＴ１のマークＢＵＴ１Ｍの背景色を普通の背景色（例えば白色）に戻し、患者名・ＩＤ入力・ＯＫの表示Ｍ２の背景色を他の表示の背景色と異ならせたものとなる。背景色が他の表示と異なる表示を以てユーザーが為すべき行為を指定するのである。
【００３３】
このときの補足説明エリアＡｒｅａ３の説明文は、この実施例の項の段落番号００５０の段落の（２）に示すように、「患者データを入力します。患者のＩＤと名前を入力し、収録データ作成ボタンＢＵＴ２を押して下さい。」という趣旨のものとなる。
従って、ユーザーは、行為表示エリアＡｒｅａ２の背景色が他と異なる表示Ｍ２により、更には、補足説明エリアＡｒｅａ３の文章により、為すべきことを認識できる。
尚、患者データの入力は、キーボード等の入力手段により一字一字入力する方法で行っても良いが、患者データが入力されたカード１１５をカードリーダ１１４にセットすることにより行うようにしても良い。
【００３４】
（Ｓｔ５）「データ入力？」
次に、患者データの入力が為されたか否かを確認する。その確認の結果がＮｏであれば、Ｓｔ４に戻る。
（Ｓｔ６）「データ取込」
Ｓｔ５の確認結果がＹｅｓであれば、入力データを取り込む。
（Ｓ７）「ＢＵＴ２押？」
次に、収録データ作成ボタンＢＵＴ２が押されたか否かを確認する。この確認は、Ｙｅｓという確認結果が得られるまで繰り返される。
（Ｓｔ８）「収録開始」                            
Ｓｔ７の収録データ作成ボタンＢＵＴ２が押されたか否かの確認結果がＹｅｓの場合、零調整のためのデータ収録が自動的に開始される。
【００３５】
（Ｓｔ９）「零校正を促す表示」
収録を開始すると、行為表示エリアＡｒｅａ２において、「収録開始」という表示Ｍ２により収録が始まったことを示し。更に、「零校正」という零校正ボタンＢＵＴ３Ｍの背景色を例えば黄色にすることによって零校正を行うべきことを示唆する（促す）。
零校正は、具体的には、カテーテルを手で縦に持ち、センサ部に物が触れないようにしてから零校正ボタンＢＵＴ３をクリックすることにより行わなければならない。
尚、図６（３）に示すように、背景色が他と異なる零校正ボタンＢＵＴ３のマークＢＵＴ３Ｍの次に「カテ挿入」という表示Ｍ６を位置させ、更にその次に「カテ位置固定」という表示Ｍ７を位置させることにより、ユーザーは、零校正をする場合、具体的には、カテーテルを挿入し、位置を固定するということが必要であることを認識することができる。
【００３６】
また、このときの補足説明エリアＡｒｅａ３の説明文は、この実施例の項の段落番号００５０の段落の（３）に示すように、「センサーのバランス調整を行います。カテーテルを手で縦に持ちセンサー部に物が触れないようにしてから零調整ボタンＢＵＴ３を押して下さい。」という趣旨のものとなる。
（Ｓｔ１０）「ＢＵＴ３押？」
次に、零調整ボタンＢＵＴ３が押されたか否かを確認する。この確認は、Ｙｅｓという確認結果が得られるまで行う。Ｎｏという確認結果が得られた場合には、Ｓｔ９に戻る。
（Ｓｔ１１）「カテ長入力促す表示」
Ｓｔ１０でＹｅｓという確認結果が出た場合には、カテーテルを患者の鼻腔から挿入し、固定し、カテ長入力部Ｉｎ１へカテーテル挿入長さ（カテ長）を入力することを促す表示をする。
具体的には、行為表示エリアＡｒｅａ２の表示を、図６（４）に示すように、カテ長入力の表示Ｍ８の背景色が他の表示と異なるようにする。
【００３７】
そして、このときの補足説明エリアＡｒｅａ３の説明文は、この実施例の項の段落番号００５０の段落の（４）に示すように、「カテーテルを患者の鼻腔から挿入し、固定してカテ長入力部Ｉｎ１にカテ長を入力して下さい。誤った入力やカテーテル位置固定はコントロールボタンＢＵＴ４をクリックするまでは何度でも変更できます。」という趣旨のものとなる。
（Ｓｔ１２）「カテ長入力？」
次に、カテ長入力が為されたか否かを確認する。確認結果がＮｏの場合には、Ｓｔ１1に戻る。
（Ｓｔ１３）「零校正処理」
Ｓｔ１２でＹｅｓという確認結果が得られた場合は零校正（演算）処理を行う。
【００３８】
（Ｓｔ１４）「温度補正を促す表示」
次いで、温度補正を促す表示をする。
具体的には、行為表示エリアＡｒｅａ２の表示を、図６（５）に示すように、温度補正ボタンＢＵＴ５のマークＢＵＴ５Ｍの背景色が他の表示と異なるようにする。
そして、このときの補足説明エリアＡｒｅａ３の説明文は、この実施例の段落番号００５０の段落の（５）に示すように、「温度補正ボタンＢＵＴ５をクリックして下さい。センサーの温度補正を行います。」という趣旨のものとなる。従って、ユーザーは、行為表示エリアＡｒｅａ２及び補足説明エリアＡｒｅａ３を視認することにより為すべき行為が温度補正であることを認識することができる。
【００３９】
（Ｓｔ１５）「ＢＵＴ５押？」
次に、温度補正ボタンＢＵＴ５が押されたか否かの確認をする。確認結果がＮｏの場合、Ｓｔ１４に戻る。この確認は、Ｙｅｓという確認結果が得られるまで続く。
（Ｓｔ１６）「温度補正処理」
Ｓｔ１５でＹｅｓという確認結果が得られたら、温度補正（演算）処理をする。
（Ｓｔ１７）「収録開始を促す表示」
温度補正処理が済むと、零校正及び温度補正が済んだ、食道各部の内圧データの収録を３０秒行うことになるが、そのための収録開始を促す表示を行う。この収録開始はコントロールボタンＢＵＴ４を押すこと（クリック）により行うことができることになっているので、行為表示エリアＡｒｅａ２の表示を、図６（６）に示すように、コントロールボタンＢＵＴ４の表示の背景色が他の表示と異なるようにする。
また、コントロールボタンＢＵＴ４の表示の右隣に「３０秒コントロール収録」という表示が配置されているので、コントロールボタンＢＵＴ４を押すと３０秒間のデータ収録が開始されることが示唆される。
【００４０】
そして、このときの補足説明エリアＡｒｅａ３の説明文は、この実施例の段落番号００５０の段落の（６）に示すように、「コントロールボタンＢＵＴ４を押して下さい。静止圧を３０秒間取得します。」という趣旨のものとなる。
（Ｓｔ１８）「ＢＵＴ４押？」
次に、コントロールボタンＢＵＴ４が押されたか否かを確認する。この確認結果がＮｏの場合、Ｓｔ１２まで戻る。
（Ｓｔ１９）「コントロール」
Ｓｔ１８の確認結果がＹｅｓになった場合、収録を開始する。
【００４１】
（Ｓｔ２０）「Ｔ＝Ｔ＋１」
収録が開始されると直ちに計時を行う。具体的には、計時用のレジスタＴを１秒毎に＋１する。
（Ｓｔ２１）「Ｔ≧３０？」
レジスタＴの値が３０（秒）に達したか否かを判定する。判定結果がＮｏの場合、Ｓｔ２０に戻る。
（Ｓｔ２２）「Ｗｅｔ検査１０回促す表示」
Ｓｔ１９の収録開始から３０秒経過したら、Ｗｅｔ検査１０回促す表示を行う。
具体的には、行為表示エリアＡｒｅａ２の表示を、図６（７）に示すように、「Ｗｅｔ検査１０回」という表示の背景色が他の表示とは異なるようにする。
【００４２】
また、このときの補足説明エリアＡｒｅａ３の説明文は、この実施例の段落番号００５０の段落の（７）に示すように、「患者に５ｃｃの水を口に含ませ、合図と共に一気に飲ませて下さい。合図のタイミングでＷＳ（Ｗet検査）ボタンＢＵＴ６のマークＢＵＴ６Ｍを押してください。１０回行うことを推奨します。ＷＳボタンＢＵＴ６押し５回目以降からは収録停止ボタンＢＵＴ７の背景が黄色になり（通常は背景が白）、マニュアル操作でいつでも途中で停止できます。」という趣旨のものとなる。
（Ｓｔ２３）「ＢＵＴ６押？」
次に、ＷＳボタンＢＵＴ６が押されたか否かを確認する。その確認結果がＮｏの場合は、Ｓｔ２２に戻る。
【００４３】
（Ｓｔ２４）「Ｎ＝Ｎ＋１」
ＷＳボタンＢＵＴ６が押された回数をカウントする。具体的には、カウント用レジスタＮの値をカウント１回毎に＋１する。
（Ｓｔ２５）「Ｎ≧５？」
上記レジスタＮの値が５回以上になったか否かを確認する。その確認結果がＮｏの場合、Ｓｔ２２に戻る。
【００４４】
（Ｓｔ２６）「ＢＵＴ７表示色黄色」
Ｓｔ２５の確認結果がＹｅｓの場合、収録停止ボタンＢＵＴ７の背景色を黄色にする。
（Ｓｔ２７）「検査終了可能表示」
次に、検査を終了させることが可能になったことを表示する。
検査をマニュアル操作により終了させることは、収録停止ボタンＢＵＴ７を押すことにより行うようになっている。従って、具体的には、行為表示エリアＡｒｅａ２の表示を、図６（８）に示すように、収録停止ボタンＢＵＴ７のマークＢＵＴ７Ｍの背景色が他の表示と異なるようにする。
そして、このときの補足説明エリアＡｒｅａ３の説明文は、この実施例の段落番号００５０の段落の（８）に示すように、「検査終了後収録停止ボタンＢＵＴ７を押して終了します。」という趣旨のものとなる。
これにより、Ｗｅｔ検査が５回以上であれば、１０回に満たなくても、ユーザーの判断によりＷｅｔ検査を強制的に停止させることができることが示唆される。
【００４５】
（Ｓｔ２８）「Ｎ≧１０？」 
次に、Ｗｅｔ検査の回数が１０回以上になったか否かを確認する。
即ち、上記カウント用レジスタＮが１０回以上に達したか否かを確認する。
（Ｓｔ２９）「ＢＵＴ７押？」
Ｓｔ２８の確認結果がＮｏの場合、収録停止ボタンＢＵＴ７が押されたか否かを確認する。その確認結果がＮｏの場合、Ｓｔ２３に戻る。
（Ｓｔ３０）「検査終了処理」
Ｓｔ２８の確認結果がＹｅｓになった場合、或いはＳｔ２９の確認結果がＹｅｓになった場合には、検査終了（収録停止）処理を行う。
【００４６】
（Ｓｔ３１）「データ保存促す表示」
次に、検査で得たデータについて保存を促す表示をする。具体的には、行為表示エリアＡｒｅａ２の表示を、図６（９）に示すように、データ保存ＢＵＴ８のマークＢＵＴ８Ｍの背景色を異ならせることにより、データ保存を促す。
このときの補足説明エリアＡｒｅａ３の説明文は、この実施例の項の段落番号００５０の段落の（９）に示すように、「データ保存ボタンＢＵＴ８をクリックして、ファイル名を入力し、保存をクリックし、解析を行う場合はデータ保存後、再度開いて行って下さい。続けて検査を行う場合は検査開始ボタンＢＵＴ１をクリックします」という趣旨のものとなる。
（Ｓｔ３２）「ＢＵＴ８押？」
次に、データ保存ボタンＢＵＴ８が押されたか否かを確認する。確認結果がＮｏの場合、Ｓｔ３１に戻る。
【００４７】
（Ｓｔ３３）「ファイル名入力？」
次に、ファイル名の入力が為されたか否かを確認する。この確認は、Ｙｅｓの確認結果が得られるまで繰り返す。
（Ｓｔ３４）「ファイル名取込」
Ｓｔ３３の確認結果がＹｅｓの場合、ファイル名を取り込む。
（Ｓｔ３５）「取込終了？」
次に、取込が終了したか否かを確認する。確認結果がＮｏの場合、Ｓｔ３３に戻る。
（Ｓｔ３６）「保存処理」
Ｓｔ３５の確認結果がＹｅｓの場合、保存処理を行う。
【００４８】
（Ｓｔ３７）「解析操作？」
解析をさせる解析操作が為されたか否かを確認する。
（Ｓｔ３８）「解析処理」
Ｓｔ３７の確認結果がＹｅｓの場合、解析処理を行う。
（Ｓｔ３９）「終了操作？」
終了をさせる終了操作が為されたか否を確認する。その確認結果がＮｏの場合、Ｓｔ１（図３参照）に戻る。
確認結果がＹｅｓの場合、フローが終了する。
【００４９】
ユーザーは、制御部（パソコン）のディスプレイの行為表示エリアＡｒｅａ２の枠内に位置する黄色のボタンを何回も押すことにより、上記のようなユーザー側必要行為の次のステージに順次移行することができる。また、補足説明エリアＡｒｅａ３の表示を見ることによりマニュアルを見ることなくユーザー側必要行為を認識できる。
以下に、補足説明エリアＡｒｅａ３の説明文の変化を順に示す。
【００５０】
（１）ＰＣとポケットモニターとセンサーを接続する。Ｐ．Ｍ．（ポケットモニター）の「 ＭＥＡＳＵＲＩＮＧ」の表示を確認して検査開始ボタンＢＵＴ１を押して下さい。
（２）患者データを入力します。患者のＩＤと収録停止ボタンＢＵＴを押して下さい。
（３）センサーのバランス調整を行います。カテーテルを手で縦に持ち、センサー部にものが触れないようにしてから、零校正ボタンＢＵＴ３を押して下さい。
（４）カテーテルを患者の鼻腔から挿入し、固定してカテ長入力部Ｉｎ１にカテ長を入力して下さい。誤った入力やカテーテル位置固定はコントロールボタンＢＵＴ４をクリックするまで何度でも変更できます。
（５）温度補正ボタンＢＵＴ５をクリックして下さい。センサーの温度補正を行います。
（６）コントロールボタンＢＵＴ４を押して下さい。静止圧を３０秒間取得します。
（７）患者に５ｃｃの水を口に含ませ、合図と同時に一気に飲ませて下さい。合図のタイミングでＷＳ（Ｗｅｔ検査）ボタンＢＵＴ６のマークＢＵＴ６Ｍを押して下さい。１０回行うこと推奨します。ＷＳボタンＢＵＴ６押しは５回目以降からは収録停止ボタンＢＵＴ７の背景が黄色になり（通常は背景が白）
、マニュアル操作でいつでも途中で停止できます。
（８）検査終了後収録停止ボタンＢＵＴ７を押して終了します。
（９）データ保存ボタンＢＵＴ８をクリックして、ファイル名を入力し、保存をクリックし、解析を行う場合はデータ保存後、再度開いて行って下さい。続けて、検査を行う場合は検査開始ボタンＢＵＴ１をクリックします。
【００５１】
尚、ユーザー側必要行為表示エリアＡｒｅａ２に表示された内容を音声でもユーザーに伝えるようにしても良いことは言うまでもない。
また、補足説明エリアＡｒｅａ３で表示された説明文を音声によってもユーザーに伝えるようにしても良い。
更に、画面上のエリアでの表示に代えて、音声によるナレーションでユーザー側必要行為をユーザーに伝えるようにしても良いし、更には、補足説明エリアＡｒｅａ３での説明文の表示によってではなく、それに代わる音声によるナレーションによってユーザーに伝えるようにしても良い。
このように、本実施例についても種々のバリエーションがあり得る。
【産業上の利用可能性】
【００５２】
本発明は、一連の医学的行為が施される被診断体（患者）に所定の方法で装着されたデータ検出手段からのデータを所定の順序で取り込んで所定の多数の医学データからなるデータ群を可視化してディスプレイにて表示する医学データ可視化診断装置に広く産業上の利用可能性がある。
【符号の説明】
【００５３】
Ａｒｅａ１・・・データ表示エリア、Ａｒｅａ１１・・・主エリア、
Ａｒｅａ１２・・・色・圧力関係表示エリア、
Ａｒｅａ１３・・・食道位置表示エリア、
Ａｒｅａ２・・・ユーザ側必要行為表示エリア、
Ａｒｅａ３・・・補足説明エリア、
Ａｒｅａ４１、４２・・・ボタン等配置エリア、
ＢＵＴ１・・・検査開始ボタン、ＢＵＴ２・・・収録データ作成ボタン、
ＢＵＴ３・・・零校正ボタン、ＢＵＴ４・・・コントロールボタン、
ＢＵＴ５・・・温度補正ボタン、
ＢＵＴ６・・・ＷＳボタン（Ｗｅｔ検査ボタン）、
ＢＵＴ７・・・収録停止ボタン、ＢＵＴ８・・・データ保存ボタン、
Ｉｎ１・・・カテ長入力部。
【図１】
2014076076.tif 000003
【図２】
2014076076.tif 000004
【図３】
2014076076.tif 000005
【図４】
2014076076.tif 000006
【図５】
2014076076.tif 000007
【図６】
2014076076.tif 000008
【図７】
2014076076.tif 000009